(57)【特許請求の範囲】
【請求項１】
照明器具の接触面に密着して接触面へ熱伝導するランプ装置であって、
発光素子を有する発光モジュールと；
一面側が開口し、他面側に口金部を有し、口金部の一面に発光モジュールが取り付けられる熱伝導部が突出され、口金部の他面が照明器具の接触面に密着される筐体と；
口金部の他面に配置され、照明器具の接触面と口金部の他面とを密着させるときにこれら照明器具の接触面と口金部の他面との間に介在する平板状の熱伝導シートと；
ランプ装置の口金部の他面であって熱伝導部の他面側に形成され、熱伝導シートの厚み方向の一部を収納するとともに熱伝導シートの圧延に対する逃げ部を有し、逃げ部は熱伝導シートの全外周に設けられているとともにランプ装置を照明器具に取り付けたときに熱伝導シートが逃げ部の側壁に突き当たらないように形成されている凹部と；
を具備していることを特徴とするランプ装置。
【請求項２】
熱伝導シートは、口金部の他面に貼り付けられるシリコーンシート、およびシリコーンシートの他面に貼り付けられた金属箔を有していることを特徴とする請求項１記載のランプ装置。
【請求項３】
請求項１または２記載のランプ装置と；
ランプ装置を押し当ててから所定角度回転させて装着するソケットと；
ソケットに装着されるランプ装置の口金部が熱伝導シートを介して密着する接触面を有する放熱体と；
を具備していることを特徴とする照明器具。
【請求項４】
発光素子を有する発光モジュールと、一面側が開口し、他面側に口金部を有し、口金部の一面に発光モジュールが取り付けられる熱伝導部が突出された筐体とを有するランプ装置と；
ランプ装置を押し当ててから所定角度回転させて装着するソケットと；
ソケットに装着されるランプ装置の口金部の他面が密着される接触面を有する放熱体と；
放熱体の接触面とランプ装置の口金部の他面との間に介在し、放熱体の接触面とランプ装置の口金部の他面とを密着させるときにこれら放熱体の接触面とランプ装置の口金部の他面との間に設けられる平板状の熱伝導シートと；
ランプ装置の口金部の他面であって熱伝導部の他面側および放熱体の少なくとも一方に形成され、熱伝導シートの厚み方向の一部を収納するとともに熱伝導シートの圧延に対する逃げ部を有し、逃げ部は熱伝導シートの全外周に設けられているとともにランプ装置を照明器具に取り付けたときに熱伝導シートが逃げ部の側壁に突き当たらないように形成されている凹部と；
を具備していることを特徴とする照明器具。
【発明の詳細な説明】
【技術分野】
【０００１】
本発明の実施形態は、発光素子を用いたランプ装置、およびこのランプ装置を用いた照明器具に関する。
【背景技術】
【０００２】
従来、発光素子を用いたランプ装置として、例えばＧＸ５３形などの口金を用いたフラット形のランプ装置がある。このようなランプ装置では、一面側が開口し、他面側に口金部を有する筐体が用いられ、この筐体内に発光素子を有する発光モジュールや発光素子を点灯させる点灯回路が収容されている。
【０００３】
このランプ装置では、照明器具のソケットに口金部を押し当ててから所定角度回転させることにより、照明器具のソケットに装着するように構成されている。また、照明器具にランプ装置が装着された状態で、照明器具側の接触面に口金部の他面が面接触することにより、発光素子の点灯時に発生する熱を口金部から照明器具側に熱伝導して放熱させるように構成したものもある。
【０００４】
また、照明器具側の接触面と口金部の他面との間に熱伝導性のシートを介在させて熱伝導の向上を図った構成も提案されている。この場合、口金部の他面側に、熱伝導性シートの位置決めやはがれ防止のための凹部を形成すると都合がよい。
【先行技術文献】
【特許文献】
【０００５】
【特許文献１】特開２０１０−２６２７８１号公報
【発明の概要】
【発明が解決しようとする課題】
【０００６】
一般に、位置決め等用のためには、凹部の寸法を熱伝導性シートの外形形状と同じかわずかに大きく形成することが好適であると考えられる。
【０００７】
しかしながら、上記熱伝導性シートは、密着性を良好にするにはある程度の柔軟性が必要である。このため、ランプ装置を照明器具側に装着すると、接圧により熱伝導性シートが延伸して上記凹部の縁を乗り越えたり、部分的に盛上がったりすることがある。このような場合には、照明器具側の接触面と口金部の他面との密着性が損なわれたり、熱伝導性シートが破損されたりする。また、凹部の縁を乗り越えてはみ出した熱伝導性シートが照明器具側に付着したり、熱伝導シート事態の表面に付着したりすると、ランプ装置を一旦取外して、再度装着した際の密着性が頗る悪くなる。
【０００８】
本発明の実施形態は、熱伝導性シートが熱伝導性シートの位置決め等のための凹部からはみ出したり、部分的に盛上がったりすることを防止することを目的とするものである。
【課題を解決するための手段】
【０００９】
本発明における実施形態のランプ装置は、照明器具の接触面に密着して接触面へ熱伝導するランプ装置であって、発光モジュール、筐体および熱伝導シートを有する。発光モジュールは、半導体発光素子を有する。筐体は、一面側が開口し、他面側に口金部を有し、口金部の一面に発光モジュールが取り付けられる熱伝導部が突出され、口金部の他面が照明器具の接触面に密着される。熱伝導シートは、口金部の他面に配置する。口金部の他面であって熱伝導部の他面側には熱伝導シートの厚み方向の一部を収納する凹部を形成する。凹部は照明器具の接触面に装着される際に生じる熱伝導シートの圧延に対する逃げ部を有する。逃げ部は熱伝導シートの全外周に設けられているとともにランプ装置を照明器具に取り付けたときに熱伝導シートが逃げ部の側壁に突き当たらないように形成されている。
【発明の効果】
【００１０】
本発明によれば、熱伝導シートによる密着性、熱伝導性によりランプ装置から照明器具側への安定した熱伝導性を確保することが期待できる。
【図面の簡単な説明】
【００１１】
【図１】第１の実施形態のランプ装置および照明器具の一部を示し、(a)はランプ装置を照明器具に装着した状態の断面図、(b)は(a)の一部の拡大断面図、(c)は熱伝導シートの断面図、(d)は熱伝導シートの一部の拡大断面図である。なお、図１では、断面を示すハッチングを、熱伝導シートのみに入れ、他は省略している。
【図２】同上ランプ装置の断面図である。
【図３】同上ランプ装置の分解状態の斜視図である。
【図４】同上ランプ装置の一面の斜視図である。
【図５】同上ランプ装置の他面の斜視図である。
【図６】同上ランプ装置を用いる照明器具の断面図である。
【図７】同上ランプ装置の分解状態の斜視図である。
【発明を実施するための形態】
【００１２】
以下、第１の実施形態を、図１ないし図７を参照して説明する。図６および図７に示すように、照明器具11は、ダウンライトなどの埋込形照明器具であり、天井板などの被設置部12に設けられた円形の埋込孔13に埋め込まれた状態に設置される。
【００１３】
照明器具11は、器具本体15、この器具本体15と一体に固定されたソケット16および放熱体17、およびソケット16に着脱可能に装着されるフラット形のランプ装置18などを備えている。そして、ランプ装置18の点灯時に発生する熱を、主に、放熱体17に熱伝導して放熱するように構成されている。
【００１４】
なお、以下、照明器具11を水平に設置するとともにこの照明器具11に対してフラット形のランプ装置18を水平に取り付ける状態を基準として、このランプ装置18の一面を下（例えば下面、下側、下部、下端など）、他面を上（例えば上面、上側、上部、上端など）として説明する。
【００１５】
まず、図２ないし図５に示すように、ランプ装置18は、フラット形で円筒状の筐体21と、この筐体21の上面に取り付けられた熱伝導シート22と、筐体21内に収容された発光モジュール23、光学部品24および点灯回路25と、筐体21の下面に取り付けられた透光カバー26とを備えている。
【００１６】
筐体21は、円筒状のケース28、およびこのケース28の上面に取り付けられる円筒状の口金部材29を有している。これらケース28の上面側およびこのケース28の上面から突出する口金部材29によって口金部30が構成されている。
【００１７】
ケース28は、例えば絶縁性を有する合成樹脂製で、上面の平板部31、およびこの平板部31の周辺部から下方に突出する周面部32を有している。ケース28の下面には、開口部28aが形成されている。
平板部31には、中央に挿通孔33が形成され、この挿通孔33より外径側に複数の取付孔34が形成され、さらに、これら取付孔34より外径側に複数の挿通孔35が形成されている。平板部31の周辺部および挿通孔33の縁部には、点灯回路25（回路基板68）を支える環状の外周側の基板支え部36および環状の内周側の基板支え部37がそれぞれ形成されている。外周側の基板支え部36は点灯回路25（回路基板68）が嵌り込む溝状に形成されている（図２参照。図１では詳細を省略する）。内周側の基板支え部37の１箇所には、基板支え部37よりも外径側に位置するとともに基板支え部37よりも下方へ突出する配線ガイド部38が形成され、この配線ガイド部38によって平板部31の上下面および挿通孔33に連通する配線通路39が形成されている。配線ガイド部38は、基板支え部37から外径側に向かって一対の側壁部38aが形成され、これら一対の側壁部38aの外径側に外壁部38bが形成され、これらによって断面略コ字形に形成されている。
【００１８】
周面部32の内周面には、光学部品24を支える複数の光学部品支え部40が形成されているとともに、開口部28aの近傍に複数の取付溝41が形成されている。１つの光学部品支え部40には光学部品24の回転止めをするリブ40aが形成されている。周面部32の外周面で上部側には、表面積を広くするための凹凸部32aが形成されている。
【００１９】
口金部材29は、例えばアルミダイカストなどの金属、セラミックス、あるいは熱伝導性に優れた樹脂などの材料で形成され、上面の端面部42、およびこの端面部42の周辺から下方に突出する周面部43を有している。周面部43の内側には、ケース28と口金部材29とを固定するための複数のねじ44がケース28の複数の取付孔34を通じて螺着される複数のボス45が形成されている。
【００２０】
端面部42の下面中央にはケース28へ向けて突出する熱伝導部46が一体に形成され、この熱伝導部46の下面に発光モジュール23を取り付ける平面状の取付面47が形成され、この取付面47に複数の取付孔48が形成されている。端面部42の上面に熱伝導シート22が取り付けられている。
【００２１】
周面部43には、複数のキー溝50が形成されている。各キー溝50は、口金部材29の上面に連通して上下方向に沿って形成された縦溝50a、および周面部43の下部で周面部43の周方向に沿って形成された横溝50bを有する略Ｌ字形に形成されている。さらに、周面部43には、複数のキー溝50の間に、複数のキー51が突出形成されている。なお、本実施形態では、キー溝50およびキー51とも３つずつ設けられているが、少なくとも２つずつあればよく、４つずつ以上あってもよい。
【００２２】
また、熱伝導シート22は、ランプ装置18を照明器具11に装着した際に、放熱体17に密着し、ランプ装置18から放熱体17に効率よく熱伝導させるものである。熱伝導シート22は、例えば、図１ (c)、(d)に示すように、弾性を有するゲル状のシリコーンシート22a、およびこのシリコーンシート22aの上面に貼り付けられるアルミニウム、スズ、亜鉛などの金属箔22bで円板状に構成されている。金属箔22bは、シリコーンシート22aに比べて、表面の摩擦抵抗が小さい。なお、熱伝導シート22は円形の他、６角形などの多角形でもよい。
【００２３】
なお、図１ (d)以外の図では、作図上、シリコーンシート22aと金属箔22bとを区分することなく、一体化された熱伝導シート22として示している。
【００２４】
このような熱伝導シート22は、口金部材29の端面部42の凹部42a（図１（ａ）参照。図２、図５では図示を省略している。）に設けられる。前記凹部42aは、熱伝導シート22の厚み方向の一部を収納するとともに熱伝導シート22の圧延に対する逃げ部42bを熱伝導シート22の全外周に有している。逃げ部42bは、ランプ装置18を照明器具11に装着した際に、凹部42aからはみ出したり、凹部42aの側壁に突き当たって部分的に盛上がったりして、実質的に密着性を損なうこと、破損することを防止することを要するものである。
【００２５】
したがって、逃げ部42bを熱伝導シート22の全外周に設ける場合には、熱伝導シート22の圧延量を想定して熱伝導シート22の全外周にスペースを形成することができる。また、逃げ部42bとしては、凹部の底壁側にも形成することもできる。すなわち、底壁部に下向きの凹みを形成してもよい。
【００２６】
また、発光モジュール23は、基板53、この基板53の下面に形成された発光部54、基板53の下面に実装されたコネクタ55、基板53の周辺を保持する枠状のホルダ56、および基板53とこの基板53を取り付ける口金部材29の熱伝導部46の取付面47との間に介在する熱伝導シート57を備えている。
【００２７】
基板53は、例えば、熱伝導性に優れた金属あるいはセラミックスなどの材料で平板状に形成されている。
【００２８】
発光部54は、光源として例えばＬＥＤ素子やＥＬ素子などの半導体発光素子と呼ばれている発光素子が用いられている。本実施形態では、発光素子としてＬＥＤ素子が用いられ、基板上に複数のＬＥＤ素子を実装するＣＯＢ（Chip On Board）方式が採用されている。すなわち、基板上に複数のＬＥＤ素子が実装され、これら複数のＬＥＤ素子がワイヤボンディングによって直列に電気的に接続され、蛍光体を混入した例えばシリコーン樹脂などの透明樹脂である蛍光体層で複数のＬＥＤ素子が一体に覆われて封止されている。ＬＥＤ素子には例えば青色光を発するＬＥＤ素子が用いられ、蛍光体層にはＬＥＤ素子からの青色光の一部により励起されて黄色光を放射する蛍光体が混入されている。したがって、ＬＥＤ素子および蛍光体層などによって発光部54が構成され、この発光部54の表面である蛍光体層の表面が発光面となり、この発光面から白色系の照明光が放射される。なお、発光部としては、ＬＥＤ素子が搭載された接続端子付きのＳＭＤ（Surface Mount Device）パッケージを基板に複数個実装する方式を用いてもよい。
【００２９】
コネクタ55は、発光素子と電気的に接続されている。
【００３０】
ホルダ56は、基板53を保持し、口金部材29の熱伝導部46の複数の取付孔48に螺着される複数のねじ58によって、口金部材29の熱伝導部46との間に熱伝導シート57および基板53を挟み込んだ状態に固定されている。これにより、基板53が熱伝導シート57を介して口金部材29の熱伝導部46に密着され、基板53から口金部材29への良好な熱伝導性が確保されている。
【００３１】
熱伝導シート57は、例えば、シリコーンシートの他、例えばアルミニウム、スズ、亜鉛などの金属箔を用いてもよい。金属箔を用いることにより、熱による劣化がシリコーンシートに比べて小さく、長期にわたって熱伝導性能を維持できる。
【００３２】
また、光学部品24は、円筒状の反射体60によって構成されている。この反射体60は、例えば絶縁性を有する合成樹脂製で、上下面が開口されるとともに上端側から下端側に向けて段階的または連続的に拡径する円筒状の光ガイド部61が形成され、この光ガイド部61の下端にケース28の下面周辺を覆う環状のカバー部62が形成されている。光ガイド部61の内面およびカバー部62の下面には、例えば白色や鏡面とする光反射率の高い反射面63が形成されている。反射面63を形成する一手段としてアルミニウムなどの蒸着手段を用いることができる。この場合、カバー部62の外周部をマスキングして非蒸着面とすることにより電気絶縁性を向上することができる。
【００３３】
光ガイド部61は、点灯回路25（回路基板68）およびケース28の挿通孔33を貫通して口金部材29内に突出され、発光部54の周囲に対向配置されている。光ガイド部61の外周面で上下方向の中間部に点灯回路25（回路基板68）に嵌合する基板嵌合部64が形成され、この基板嵌合部64にケース28の基板支え部36，37との間で点灯回路25（回路基板68）を保持する基板押え部65が形成されている。
【００３４】
カバー部62には、ケース28の各光学部品支え部40に支えられる複数の保持爪66が形成されている。また、一実施形態として、１つの保持爪66は、１つの光学部品支え部40のリブ40aに嵌り込み、反射体60がケース28に回転止めされる。
【００３５】
そして、反射体60は、ランプ装置18の必要な配光制御に応じて異なる配光特性のタイプが複数用意されており、これら複数のタイプの中からランプ装置18に必要な配光制御に応じた１つのタイプが選択されて用いられている。例えば、図２には配光が広い広角タイプの形状の反射体60を用いたランプ装置18を示す。反射体60は、異なるタイプに応じて主に光ガイド部61の形状が異なるが、光ガイド部61の基板嵌合部64および基板押え部65やカバー部62の保持爪66などは各タイプとも共通としているため、いずれのタイプの反射体60でも筐体21内に共通に収容可能としている。なお、反射体60の配光特性の異なる複数のタイプとしては、広角タイプおよび中角タイプ以外に、配光が狭い狭角タイプや、その他のタイプが含まれる。
【００３６】
したがって、反射体60の基板嵌合部64および基板押え部65やカバー部62の保持爪66などが、異なる配光特性のタイプに共通とする形状の共通取付部60aとして構成されている。また、筐体21の基板支え部37や光学部品支え部40などが、反射体60の共通取付部60aが取り付けられる共通とする形状の被共通取付部21aとして構成されている。
【００３７】
さらに、反射体60のタイプは、形状のみに限られず、反射面63を配光特性によっても配光制御が可能で、白色とした場合には配光を広く制御でき、鏡面とした場合には配光を狭く制御できる。そして、反射体60は、いずれのタイプを選択しても、筐体21内に共通に収容して用いることができる。
【００３８】
また、点灯回路25は、例えば、商用電源電圧を整流平滑する回路、数ｋＨｚ〜数百ｋＨｚの高周波でスイッチングするスイッチング素子を有するＤＣ／ＤＣコンバータなどを備え、定電流の直流電力を出力する電源回路を構成する。点灯回路25は、回路基板68、およびこの回路基板68に実装された複数の電子部品である回路部品69を備えている。
【００３９】
回路基板68は、中央部に反射体60の光ガイド部61の上部側が貫通するとともに基板嵌合部64が嵌合する円形の開口部70が形成された環状に形成されている。回路基板68の外径はケース28の基板支え部36に嵌り込む寸法に形成されている。開口部70の縁部には、ケース28の配線ガイド部38が挿通されて嵌り込む配線孔である切欠部71が形成されている。
【００４０】
回路基板68の下面が回路部品69のうちのリード線を有するディスクリート部品を実装する実装面68aであり、上面がディスクリート部品のリード線を接続するとともに点灯回路部品のうちの面実装部品を実装する配線パターンを形成した配線パターン面68bである。
【００４１】
回路基板68の実装面68aに実装される回路部品69のうち、回路基板68から突出高さが高い大形部品、発熱量が大きい発熱部品、および電解コンデンサなどの熱に弱い部品の少なくとも１つ、好ましくは全てが、回路基板68の外側寄り位置に実装されている。回路基板68の実装面68aには、切欠部71の近傍位置に、電線73によって発光モジュール23と接続するコネクタ69aが実装されている。また、環状の回路基板68には、電源入力部の位置に対して周方向の反対側に離れた位置にスイッチング素子などのノイズ発生源となる部品が実装されている。
【００４２】
そして、回路基板68は、配線パターン面68bがケース28の平板部31に平行に対向する状態で、ケース28内の上側に配置されている。回路基板68の実装面68aに実装された回路部品69はケース28の周面部32と反射体60の光ガイド部61およびカバー部62との間に配置されている。
【００４３】
回路基板68に電気的に接続される複数のランプピン72がケース28の各挿通孔35に圧入されてケース28の上方に垂直に突出されている。つまり、複数のランプピン72が口金部30の上面から垂直に突出されている。複数のランプピン72には、少なくとも２つの電源入力用のランプピン72が含まれ、その他に２つの調光信号用のランプピン72や１つのアース用のランプピン72などを含んでいてもよい。すなわち、少なくとも２つの電源用のランプピン72を備えていればよく、他のランプピン72はなくてもよく、あるいは回路基板68とは接続せず、ケース28の挿通孔35に圧入固定するダミーピンとしてもよい。また、ランプピン72は、ケース28の挿通孔35に圧入固定してリード線で回路基板68に電気的に接続してもよく、ランプピン72を回路基板68に立設して回路基板68に直接接続してもよい。
【００４４】
また、点灯回路25の直流電源の出力端子と発光モジュール23のコネクタ55とが電線73によって電気的に接続される。電線73は、例えば、両端にコネクタ73a，73bを取り付けたコネクタ付き電線が用いられ、一端のコネクタ73aが発光モジュール23のコネクタ55に接続され、他端のコネクタ73bが回路基板68に実装されている回路部品69のコネクタに接続される。この電線73は、配線ガイド部38の電線通路39に通され、回路基板68を貫通する。
【００４５】
また、透光カバー26は、透光性および拡散性を有するように、例えば合成樹脂製やガラス製で円板状に形成されており、開口部28aを覆ってケース28に取り付けられている。透光カバー26の上面周辺部にはケース28の周面部32の内周に嵌め込まれる嵌め込み部75が形成され、この嵌め込み部75にケース28の周面部32の各取付溝41に係止される複数の係止爪76が形成されている。各係止爪76が各取付溝41に係止された状態で、嵌め込み部75と各光学部品支え部40との間で反射体60の各保持爪66を挟み込んで保持する。なお、ケース28の光学部品支え部40を用いず（この場合、光学部品支え部40に代えて補強用のリブとしてもよい）、透光カバー26の嵌め込み部75と回路基板68とで光学部品24を挟み込んで保持するようにしてもよい。
【００４６】
透光カバー26の下面の周辺部には、複数の突起によって構成される指掛け部77が透光カバー26の円周上の複数箇所であって例えば２箇所に突設され、照明器具11への装着位置を表示する三角形のマーク78が１箇所に形成されている。指掛け部77の形状は、任意であり、外観を損なわない（目立たない）とともに配光に支障を与えず、かつ後述のようにランプ装置18の着脱の際に操作しやすいものが好ましい。
【００４７】
なお、透光カバー26によってもランプ装置18の配光制御が可能で、ランプ装置18の必要な配光制御に応じて異なる配光特性のタイプを用いることができる。例えば、透光カバー26の拡散度合いの違いや、フレネルレンズなどの有無などのタイプがある。
【００４８】
そして、このように構成されたランプ装置18では、点灯回路25がケース28内に配置され、このケース28内の点灯回路25の位置より口金部30側の位置である口金部材29内に発光モジュール23が配置され、この発光モジュール23が口金部材29に熱的に接合して取り付けられている。また、反射体60の光ガイド部61が回路基板68の開口部70およびケース28の挿通孔33に配置され、反射体60のカバー部62でケース28内の点灯回路25を覆って隠蔽している。
【００４９】
なお、本実施形態のランプ装置18は、発光モジュール23の入力電力（消費電力）が２０〜２５Ｗ、全光束１１００〜１６５０ｌｍとされている。
【００５０】
次に、図６および図７に示すように、照明器具11の器具本体15は、反射体と兼用されたものであり、下方に向かって開口形成されている。器具本体15の下端には側方に突出するフランジ部81が形成され、器具本体15の上面には嵌合孔82が形成されている。器具本体15の内周面の１箇所には、ランプ装置18の装着位置を示す三角形のマーク83が設けられている。
【００５１】
また、ソケット16は、例えば絶縁性を有する合成樹脂製で環状に形成されたソケット本体85、およびこのソケット本体85内に配置された図示しない複数の端子を備えている。
【００５２】
ソケット本体85の中央には、ランプ装置18の口金部材29が挿通する挿通開口86が形成されている。ソケット本体85の下面には、ランプ装置18の各ランプピン72が挿入される複数の接続溝87が周方向に沿って長孔状に形成されている。
【００５３】
ソケット本体85の内周面には、複数のキー溝88が形成されている。各キー溝88は、上下方向に沿って形成された縦溝88a、およびソケット本体85の上部側で周方向に沿って形成された横溝88bを有する略Ｌ字形に形成されている。さらに、ソケット本体85の内周面には、複数のキー溝88の間に、複数のキー89が突出形成されている。これら各キー溝88および各キー89とランプ装置18の各キー51およびキー溝50とが互いに対応していて、ソケット16にランプ装置18を着脱可能に取り付けることができる。
【００５４】
各端子は、各接続溝87の上側に配置されており、ソケット16にランプ装置18が装着されて各接続溝87に挿入された各ランプピン72が電気的に接続される。
【００５５】
また、放熱体17は、例えばアルミダイカストなどの金属、セラミックス、放熱性に優れた樹脂などの材料によって形成されている。放熱体17は、円筒状の基部91、およびこの基部91の周囲から放射状に突出する複数の放熱フィン92を有している。
【００５６】
基部91の中央部の下面には、この基部91の下面を閉塞するとともに円形の突出部93が形成され、この突出部93の下面に平面状の接触面94が形成されている。
【００５７】
放熱体17の基部91の周囲には複数の取付部95が形成され、これら取付部95に被設置部12に照明器具11を取り付けるための取付ばね96が取り付けられている。
【００５８】
放熱体17の上面には、電源用の端子台97および調光信号用の端子台98を取り付けた取付板99が取り付けられている。
【００５９】
そして、照明器具11は、器具本体15の嵌合孔82が放熱体17の突出部93の周囲に嵌合され、この器具本体15が放熱体17とソケット16との間に挟み込まれてねじ止め固定されている。ソケット16の挿通開口86の上面に、放熱体17の接触面94が露出して配置されている。
【００６０】
次に、ランプ装置18の組立について説明する。
【００６１】
口金部材29に熱伝導シート22および発光モジュール23を取り付ける。発光モジュール23のコネクタ55に接続されている電線73を挿通孔33からケース28内に引き込み、ケース28に口金部材29をねじ止めする。
【００６２】
ケース28内に点灯回路25を挿入し、回路基板68の切欠部71を配線ガイド部38に嵌め込み、回路基板68の周辺部をケース28の基板支え部36に嵌め込むとともに回路基板68の内周側上面を基板支え部37に当接させる。また、例えば予めケース28に圧入固定されているか、または後で圧入固定されるランプピン72と回路基板68とをラッピングなどの手段で接続する。また、ケース28内に点灯回路25を挿入する際には電線73を配線ガイド部38の配線通路39に通しておき、この電線73を回路基板68の実装面68a側のコネクタに接続する。
【００６３】
ケース28内に反射体60を挿入し、反射体60の光ガイド部61を回路基板68の開口部70およびケース28の挿通孔33に挿入し、光ガイド部61の基板嵌合部64を回路基板68の開口部70に嵌め込み、光ガイド部61の基板押え部65を回路基板68に当接させる。また、反射体60の保持爪66をケース28の光学部品支え部40に対向する位置に配置する。
【００６４】
ケース28の開口部28aに透光カバー26を嵌め込み、透光カバー26の係止爪76をケース28の取付溝41に係止させる。これにより、透光カバー26の嵌め込み部75が反射体60の保持爪66に当接して光学部品支え部40に押し付け、嵌め込み部75と光学部品支え部40との間に保持爪66を挟み込んで保持するとともに、反射体60の基板押え部65で回路基板68を基板支え部36，37に押し付け、基板押え部65と基板支え部36，37との間で回路基板68を挟み込んで保持する。
【００６５】
したがって、ケース28に透光カバー26を取り付けることにより、ケース28と透光カバー26との間に回路基板68および反射体60を挟み込んで保持する。
【００６６】
次に、照明器具11へのランプ装置18の装着について説明する。
【００６７】
ランプ装置18を器具本体15の下面開口から挿入し、ランプ装置18に表示されているマーク78と器具本体15の内面に表示されているマーク83とを合わせ、ランプ装置18をソケット16に押し付ける。
【００６８】
これにより、まず、ランプ装置18の口金部材29がソケット16の挿通開口86に嵌り込み、続いて、口金部材29の各キー溝50の縦溝50aにソケット16の各キー89が進入するとともに、口金部材29の各キー51がソケット16の各キー溝88の縦溝88aに進入し、ランプ装置18の各ランプピン72がソケット16の対応する各接続溝87に挿入され、その後、口金部材29の上面が熱伝導シート22を介して放熱体17の接触面94に当接する。このとき、熱伝導シート22が放熱体17の接触面94に当接して圧縮される。
【００６９】
ランプ装置18を放熱体17に押し付けた状態で、ランプ装置18を装着方向に所定角度回転させる。このランプ装置18を回転操作する際、ランプ装置18の周面と器具本体15の内面との間に指が入るスペースが少なくても、透光カバー26から下面から突出している指掛け部77に指を引っ掛けることで、ランプ装置18を容易に回動操作できる。
【００７０】
ランプ装置18を装着方向に回転させることにより、口金部材29の各キー溝50の横溝50bにソケット16の各キー89が進入して引っ掛かるとともに、口金部材29の各キー51がソケット16の各キー溝88の横溝88bに進入して引っ掛かり、ランプ装置18がソケット16に取り付けられる。また、ランプ装置18の各ランプピン72が各ソケット16の各接続溝87内を移動して各接続溝87の上側に配置されている各端子に接触して電気的に接続される。
【００７１】
そして、ランプ装置18の装着状態では、ランプ装置18の口金部材29の上面が熱伝導シート22を介して放熱体17の接触面94に密着し、ランプ装置18から放熱体17に効率よく熱伝導可能となる。
【００７２】
また、ランプ装置18を照明器具11から外す場合には、まず、ランプ装置18を装着時とは反対の取外し方向に回転させることにより、口金部材29の各キー溝50の縦溝50aにソケット16の各キー89が移動するとともに、口金部材29の各キー51がソケット16の各キー溝88の縦溝88aに移動し、各ランプピン72が各ソケット16の各接続溝87内を移動して各接続溝87の上側に配置されている各端子から離反する。続いて、ランプ装置18を下方へ移動させることにより、各ランプピン72が各ソケット16の各接続溝87から外れ、口金部材29の各キー溝50の縦溝50aがソケット16の各キー89から外れるとともに、口金部材29の各キー51がソケット16の各キー溝88の縦溝88aから外れ、さらに、口金部材29がソケット16の挿通開口86から外れ、ランプ装置18をソケット16から取り外すことができる。
【００７３】
次に、ランプ装置18の点灯について説明する。
【００７４】
電源線から端子台97、ソケット16の端子およびランプ装置18のランプピン72を通じて点灯回路25に給電されると、点灯回路25から発光モジュール23の発光素子に点灯電力を供給し、発光素子が点灯する。発光素子の点灯によって発光部54から放射される光が、反射体60の光ガイド部61内を進行し、透光カバー26を透過して、器具本体15の下面開口から出射される。
【００７５】
また、点灯時に、発光モジュール23の発光素子が発生する熱は、主に、発光モジュール23の基板53から熱伝導シート57を介して熱的に接合されている口金部材29の熱伝導部46に効率よく熱伝導され、この口金部材29の熱伝導部46から熱伝導シート22を介して密着する放熱体17に効率よく熱伝導され、この放熱体17の複数の放熱フィン92を含む表面から空気中に放熱される。
【００７６】
また、ランプ装置18から放熱体17に熱伝導された熱の一部は、器具本体15、複数の取付ばね96および取付板99にそれぞれ熱伝導され、これらからも空気中に放熱される。
【００７７】
また、点灯回路25が発生する熱は、ケース28や透光カバー26に伝わり、これらケース28や透光カバー26の表面から空気中に放熱される。
【００７８】
次に、図１を参照して、熱伝導シート22の厚みの設定について説明する。
【００７９】
ランプ装置18の口金部材29、および照明器具11の放熱体17は、それぞれ金型で成形する例えばアルミダイカストなどの成形品であるため、表面にうねりや歪みなどが発生することがある。そのために、熱伝導シート22を設けることは有効である。
【００８０】
例えば、図１ (a)は、口金部材29の端面部42および放熱体17の間に熱伝導シート22を介在させた状態を示す。この場合、口金部材29の端面部42および放熱体17の接触面が平面とならないが、熱伝導シート22を介在させ、かつ、熱伝導シート22の厚さを好適に選定することにより、口金部材29から放熱体17への十分な熱伝導性を得られることになる。
【００８１】
そして、さらに、前述したように、熱伝導シート22をその厚さ方向の一部を収納する凹部42aに、熱伝導シート22の圧延に対する逃げ部42bを形成していることにより、熱伝導シート22特に本実施形態においてはシリコンシート22aが凹部42aからはみ出したり、部分的に盛上がったりすることを防止するから、口金部材29から放熱体17への十分な熱伝導性を得られることになる。
【００８２】
熱伝導シート22の厚みＴは、口金部材29の端面部42と放熱体17の接触面94との間に発生する隙間Ｓの最大隙間寸法に対して１〜３倍とする。より好ましい範囲は１．５〜２倍である。
【００８３】
熱伝導シート22の厚みＴが隙間Ｓの１倍で、少なくとも隙間Ｓの最大隙間寸法と同じであれば、隙間Ｓを熱伝導シート22で埋め、熱伝導シート22を介して口金部材29から放熱体17に良好に熱伝導することができる。また、熱伝導シート22の厚みＴが隙間Ｓの最大隙間寸法に対して３倍より厚いと、ランプ装着時に熱伝導シート22を放熱体17に押し当ててランプ装置18を回転させるため、熱伝導シート22の厚み方向の中間部分がねじれて剪断されるなどの損傷が発生し、口金部材29から放熱体17への熱伝導性が損なわれやすく、また、材質によっては厚みが増す分だけ熱伝導性が低下してしまう。そのため、熱伝導シート22の厚みＴは、隙間Ｓの最大隙間寸法に対して１〜３倍の範囲とするのがよい。
【００８４】
熱伝導シート22の厚みＴが隙間Ｓの最大隙間寸法に対して１．５倍以上あれば、熱伝導シート22が口金部材29と放熱体17との間で押し潰されて、熱伝導シート22が口金部材29および放熱体17にそれぞれ圧接するため、熱伝導シート22を介して口金部材29から放熱体17への高い熱伝導性を得ることができる。熱伝導シート22の厚みＴが隙間Ｓの最大隙間寸法に対して２倍以下であれば、ランプ装着時の熱伝導シート22の破損防止や熱伝導性の向上の点で好ましい。そのため、熱伝導シート22の厚みＴのより好ましい範囲は、隙間Ｓの最大隙間寸法に対して１．５〜２倍の範囲となっている。
【００８５】
また、具体的には、熱伝導シート22の厚みＴは、口金部材29の端面部42と放熱体17の接触面94とが密着する仮想密着面Ｐに対する口金部材29の端面部42側の最大隙間寸法ｔ2と放熱体17の接触面84側の最大隙間寸法ｔ2とを合わせた最大隙間寸法ｔ以上で、かつ０．５ｍｍ以下の範囲とする。
【００８６】
熱伝導シート22の厚みＴが０．５ｍｍより厚いと、上述したように、ランプ装着時の熱伝導シート22の破損や熱伝導性の低下が生じやすい。そのため、最大隙間寸法ｔ以上で、かつ０．５ｍｍ以下の範囲とするのがよい。
【００８７】
また、より具体的には、熱伝導シート22の厚みは、０．１〜０．５ｍｍの範囲とする。熱伝導シート22の厚みが０．１ｍｍより薄いと、隙間Ｓを埋めるのに不十分な厚みであったり、熱伝導シート22を口金部材29と放熱体17との間に挟み込んだ際の熱伝導シート22の潰れ代が少なく、熱伝導シート22が口金部材29および放熱体17にそれぞれ圧接しにくくなり、また、熱伝導シート22の取扱性が低下する。また、熱伝導シート22の厚みＴが０．５ｍｍより厚いと、上述したように、ランプ装着時の熱伝導シート22の破損や熱伝導性の低下が生じやすい。そのため、熱伝導シート22の厚みＴは、０．１〜０．５ｍｍの範囲とするのがよい。
【００８８】
このようなことから、熱伝導シート22の厚みの一例としては、０．２７ｍｍ程度としており、この場合、シリコーンシート22aの厚みが０．２ｍｍ、金属箔22bの厚みが０．０７ｍｍとしている。
【００８９】
以上のように、本実施形態のランプ装置18では、ランプ装置18の口金部材29、および照明器具11の放熱体17をそれぞれ金型で成形することで表面にうねりや歪みが発生し、口金部材29と放熱体17とを押し当てた状態で、これらの間に隙間Ｓが発生しても、熱伝導シート22を用いることにより、口金部材29から放熱体17への高い熱伝導性を確保することができる。
【００９０】
そのため、口金部材29の端面部42、および放熱体17の接触面94を平面化するために、切削加工や研磨加工をする必要がなく、熱伝導シート22を用いるだけでよく、生産コストを抑制し、生産性を向上できる。
【００９１】
しかも、その熱伝導シート22の厚みＴを、口金部材29の端面部42と放熱体17の接触面94との間に発生する隙間Ｓの最大隙間寸法ｔに対して１〜３倍の範囲としているため、ランプ装置18から照明器具11側への安定した熱伝導性を確保できる。
【００９２】
特に、熱伝導シート22の厚みＴを、隙間Ｓの最大隙間寸法ｔに対して１．５〜２倍の範囲とすれば、ランプ装置18から照明器具11側へのより安定した熱伝導性を確保できる。
【００９３】
また、熱伝導シート22の厚みＴを、口金部材29の端面部42と放熱体17の接触面94とが密着する仮想密着面Ｐに対する口金部材29の端面部42側の最大隙間寸法ｔ2と放熱体17の接触面84側の最大隙間寸法ｔ2とを合わせた最大隙間寸法ｔ以上で、かつ０．５ｍｍ以下の範囲とすることにより、熱伝導シート22を介したランプ装置18から照明器具11側への安定した熱伝導性を確保できる。
【００９４】
また、熱伝導シート22の厚みを、０．１〜０．５ｍｍの範囲とすることにより、熱伝導シート22を介したランプ装置18から照明器具11側への安定した熱伝導性を確保できる。
【００９５】
さらに、熱伝導シート22の表面には金属箔22bが設けられているため、仮にシリコーンシート22aが放熱体17の接触面94に直接接触している場合に比べて、放熱シート22が放熱体17の接触面94に対して滑りがよくて動きやすく、ランプ装置18の回動操作を容易にできる。しかも、ランプ装置18の回動操作の際に、放熱体17の接触面94との摩擦力によって放熱シート22が口金部材29から剥がれるのを防止できる。
【００９６】
なお、熱伝導シート22は、ランプ装置18の口金部材29ではなく、照明器具11の放熱体17に設けてもよい。この場合には、逃げ部を有する凹部は照明器具11の放熱体17に設けることになる。
【００９７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９８】
11…照明器具、16…ソケット、17…放熱体、18…ランプ装置、21…筐体、22…熱伝導シート、22a…シリコーンシート、22b…金属箔、23…発光モジュール、30…口金部、42a…凹部、42b…逃げ部、46…熱伝導部
【図１】
0005768966.tif 000002
【図２】
0005768966.tif 000003
【図３】
0005768966.tif 000004
【図４】
0005768966.tif 000005
【図５】
0005768966.tif 000006
【図６】
0005768966.tif 000007
【図７】
0005768966.tif 000008